(57)【要約】【課題】平板状に摺り合わせて収納することができるため、単一プレートの紛失を防ぎ、実用性及び機能性が高い携帯組立式コーヒー抽出装置を提供する。【解決手段】携帯組立式コーヒー抽出装置は抽出装置１を備える。抽出装置１は、第１の外プレート１１と、第２の外プレート１２と、少なくとも１つの接続プレート１３とを有する。第１の外プレート１１は、位置決め挿着溝１１１が一側に形成され、枢着孔部１１２が他側に形成されている。第１の外プレート１１の底端にはスタンド１１３が突設され、第１の外プレート１１の内側端面には当接防止構造１１４が設けられる。第２の外プレート１２は、枢着軸部１２１が一側に形成され、位置決め挿着溝１１１に挿着する位置決め挿着部１２２が他側に形成されている。第２の外プレート１２の底端にはスタンド１２３が突設される。第２の外プレート１２の内側端面には当接防止構造１２４が設けられる。【選択図】図１
0003215533.tif 000002
【実用新案登録請求の範囲】
【請求項１】
抽出装置を備えた携帯組立式コーヒー抽出装置であって、
前記抽出装置は、第１の外プレートと、第２の外プレートと、少なくとも１つの接続プレートと、を有し、
前記第１の外プレートは、位置決め挿着溝が一側に形成され、枢着孔部が他側に形成されている上、前記第１の外プレートの底端には、スタンドが突設され、前記第１の外プレートの内側端面には、当接防止構造が設けられ、
前記第２の外プレートは、枢着軸部が一側に形成され、前記位置決め挿着溝に挿着する位置決め挿着部が他側に形成されている上、前記第２の外プレートの底端には、スタンドが突設され、前記第２の外プレートの内側端面には、当接防止構造が設けられ、
前記接続プレートは、前記第１の外プレートと前記第２の外プレートとの間に接続されるとともに、前記枢着孔部に枢着される枢着軸部が一側に形成され、前記枢着軸部が枢着される枢着孔部が他側に形成される上、前記接続プレートの底端には、スタンドが突設され、前記接続プレートの内側端面には、当接防止構造が設けられることを特徴とする、
携帯組立式コーヒー抽出装置。
【請求項２】
前記第１の外プレート、前記第２の外プレート及び前記接続プレートには、前記スタンドが突設されて一体化されていることを特徴とする請求項１に記載の携帯組立式コーヒー抽出装置。
【請求項３】
前記第１の外プレート、前記第２の外プレート及び前記接続プレートには、前記スタンドが枢着されていることを特徴とする請求項１に記載の携帯組立式コーヒー抽出装置。
【考案の詳細な説明】
【技術分野】
【０００１】
本考案は、携帯組立式コーヒー抽出装置に関し、特に、平板状に摺り合わせて収納することができるため、単一プレートの紛失を防ぎ、実用性及び機能性が高い携帯組立式コーヒー抽出装置に関する。
【背景技術】
【０００２】
統計によると台湾人は１年当り約２８．５億杯のコーヒーを飲み、その数字は毎年増え続け、台湾におけるコーヒー関連産業は大きなビジネスチャンスとなっている。一般のコーヒー抽出装置は、コーヒーサーバー上のサーバー口にコーヒードリッパーを設置して使用する。
コーヒードリッパー内には、円錐形状のペーパーフィルターがセットされ、ペーパーフィルター上にコーヒーパウダーをセットしてから、沸かしたお湯をペーパーフィルターに注ぎ入れてコーヒーパウダーにお湯を浸透させると、ペーパーフィルターからコーヒーが流れ落ちてコーヒーが抽出され、コーヒードリッパー下のコーヒーサーバー内へコーヒーが流れ込んで溜まる。
【０００３】
一般によく見かけるコーヒードリッパーは、固定式構造であるため、収納に不便である上、外出する際携行して使用するにも不便であった。この問題に鑑み、一部のメーカーは「コーヒードリッパー」を開発した。「コーヒードリッパー」は、一側に第１の斜辺を有し、他側に第２の斜辺を有する第１〜第３のドリッパープレートを含む。
前述した第１〜第３のドリッパープレートの前述した第１の斜辺近くには、第１の斜溝が設けられる。前述した第１の斜溝の横には、第２の斜溝が平行に間隔をおいて設けられる。前述した第１〜第３のドリッパープレート下には、前述した第１の斜溝に対応するように第１の嵌合溝が設けられ、前述した第２の斜溝に対応するように第２の嵌合溝が設けられる。前述した第１〜第３のドリッパープレートの第２の斜溝には、第１の斜溝及び第２の斜溝と同じ高さに差込部材が設けられ、前述した第１及び第２の嵌合溝と同じ高さに嵌合部材が設けられる。前述した第１の斜辺の底部には、横方向へ向かって延びたバー状突片が一体成形される。前述したバー状突片の底部は波歯状に成形される。
【０００４】
しかし、上述した「コーヒードリッパー」は、収容、携帯が容易であるという期待された効果を達成することができるが、実際に使用すると分かるように、その構造は使用しないときに収容する際、第１〜第３のドリッパープレートを完全に分解して分離し、第１〜第３のドリッパープレート間には如何なる接続構造も無く、第１〜第３のドリッパープレートを使用せずに分解して分離すると、容易に紛失し易く、使用し難い状態となり、その全体構造の設計上、依然として改善の余地があった。
【０００５】
こうした現状に鑑み、本考案者は鋭意研究を重ねた結果、本考案の携帯組立式コーヒー抽出装置を完成させたものである。
【考案の概要】
【考案が解決しようとする課題】
【０００６】
本考案の目的は、第１の外プレート、第２の外プレート及び接続プレートを枢着方式で結合し、平板状に摺り合わせて収納することができるため、単一プレートの紛失を防ぎ、実用性及び機能性が高い携帯組立式コーヒー抽出装置を提供することにある。
【課題を解決するための手段】
【０００７】
上記課題を解決するために、本考案の第１の形態によれば、抽出装置を備えた携帯組立式コーヒー抽出装置であって、前記抽出装置は、第１の外プレートと、第２の外プレートと、少なくとも１つの接続プレートと、を有し、前記第１の外プレートは、位置決め挿着溝が一側に形成され、枢着孔部が他側に形成されている上、前記第１の外プレートの底端には、スタンドが突設され、前記第１の外プレートの内側端面には、当接防止構造が設けられ、前記第２の外プレートは、枢着軸部が一側に形成され、前記位置決め挿着溝に挿着する位置決め挿着部が他側に形成されている上、前記第２の外プレートの底端には、スタンドが突設され、前記第２の外プレートの内側端面には、当接防止構造が設けられ、前記接続プレートは、前記第１の外プレートと前記第２の外プレートとの間に接続されるとともに、前記枢着孔部に枢着される枢着軸部が一側に形成され、前記枢着軸部が枢着される枢着孔部が他側に形成される上、前記接続プレートの底端には、スタンドが突設され、前記接続プレートの内側端面には、当接防止構造が設けられることを特徴とする携帯組立式コーヒー抽出装置を提供する。
【０００８】
前記第１の外プレート、前記第２の外プレート及び前記接続プレートには、前記スタンドが突設されて一体化されていることが好ましい。
【０００９】
前記第１の外プレート、前記第２の外プレート及び前記接続プレートには、前記スタンドが枢着されていることが好ましい。
【図面の簡単な説明】
【００１０】
【図１】本考案の一実施形態に係る携帯組立式コーヒー抽出装置を示す分解斜視図である。
【図２】本考案の一実施形態に係る携帯組立式コーヒー抽出装置を示す組立斜視図である。
【図３】本考案の一実施形態に係る携帯組立式コーヒー抽出装置を収納するときの状態の説明図（１）である。
【図４】本考案の一実施形態に係る携帯組立式コーヒー抽出装置を収納するときの状態の説明図（２）である。
【図５】本考案の一実施形態に係る携帯組立式コーヒー抽出装置を収納するときの状態の説明図である。
【図６】本考案の他の実施形態に係る携帯組立式コーヒー抽出装置を示す組立斜視図である。
【図７】本考案の他の実施形態に係る携帯組立式コーヒー抽出装置を収納するときの状態の説明図（１）である。
【図８】本考案の他の実施形態に係る携帯組立式コーヒー抽出装置を収納するときの状態の説明図（２）である。
【図９】本考案の他の実施形態に係る携帯組立式コーヒー抽出装置を収納するときの状態の説明図である。
【図１０】本考案の別の実施形態に係る携帯組立式コーヒー抽出装置を示す組立斜視図である。
【考案を実施するための形態】
【００１１】
本考案の技術手段、目的及びそれにより達成可能な効果を、より完全かつ明白に開示するために、開示した添付の図面及び符号と併せて本考案を以下詳説する。
【００１２】
まず、図１を参照する。図１に示すように、本考案の一実施形態に係る携帯組立式コーヒー抽出装置は、抽出装置１を含む。抽出装置１は、第１の外プレート１１と、第２の外プレート１２と、少なくとも１つの接続プレート１３と、を有する。
【００１３】
第１の外プレート１１は、位置決め挿着溝１１１が一側に形成され、枢着孔部１１２が他側に形成される。第１の外プレート１１の底端には、スタンド１１３が突設されて一体化される。第１の外プレート１１の内側端面には、孔状の当接防止構造１１４が設けられる。
【００１４】
第２の外プレート１２は、枢着軸部１２１が一側に形成され、位置決め挿着部１２２が他側に形成される。第２の外プレート１２の底端には、スタンド１２３が突設されて一体化される。第２の外プレート１２の内側端面には、孔状の当接防止構造１２４が設けられる。
【００１５】
接続プレート１３は、第１の外プレート１１と第２の外プレート１２との間に接続される。接続プレート１３は、枢着軸部１３１が一側に形成され、枢着孔部１３２が他側に形成される。接続プレート１３の底端には、スタンド１３３が突設されて一体化される。接続プレート１３の内側端面には、孔状の当接防止構造１３４が設けられる。
【００１６】
図２を参照する。図２は、本考案の一実施形態に係る携帯組立式コーヒー抽出装置を示す組立斜視図である。
図２に示すように、本実施形態を組立てて結合するときは、抽出装置１の接続プレート１３を第１の外プレート１１と第２の外プレート１２との間に接続し、枢着孔部１１２，１３２に、隣り合う枢着軸部１３１，１２１を枢着し、第１の外プレート１１の位置決め挿着溝１１１に第２の外プレート１２の位置決め挿着部１２２を挿着すると、錐状体の抽出装置１が組み立てられる。抽出装置１をコーヒーサーバーのサーバー口上端に設置し、第１の外プレート１１、第２の外プレート１２及び接続プレート１３に突設されたスタンド１１３，１２３，１３３がサーバー口に当接されると支えられ、ペーパーフィルターが第１の外プレート１１、第２の外プレート１２、接続プレート１３間にセットされる。ペーパーフィルター内にコーヒーパウダーをセットしてから、沸かしたお湯をペーパーフィルターに注ぎ入れてコーヒーパウダーにお湯を浸透させると、第１の外プレート１１、第２の外プレート１２及び接続プレート１３の内側端面に当接防止構造１１４，１２４，１３４がそれぞれ形成されているため、第１の外プレート１１、第２の外プレート１２及び接続プレート１３の内側端面にペーパーフィルターが完全に当接されることを防ぎ、ペーパーフィルターから抽出されたコーヒーが流れ落ちて抽出装置１下のコーヒーサーバー内へ流れ込む。
【００１７】
抽出装置１を使用しないときは、第２の外プレート１２の位置決め挿着部１２２を第１の外プレート１１の位置決め挿着溝１１１から外し、第２の外プレート１２が接続プレート１３との枢着箇所を軸心として旋回されると（図３を再び参照する）、第２の外プレート１２が接続プレート１３に当接され、第１の外プレート１１が接続プレート１３との枢着箇所を軸心として旋回されると（図４を再び参照する）、第１の外プレート１１が第２の外プレート１２に当接され、抽出装置１が平板状に成形されるため、容易に収納・携帯することができる（図５を再び参照する）。
【００１８】
本実施形態の抽出装置１は、第１の外プレート１１、第２の外プレート１２及び接続プレート１３が接続されて構成される。図６を再び参照すると分かるように、抽出装置１が第１の外プレート１１、第２の外プレート１２及び２枚以上の接続プレート１３が接続されて構成される場合、２枚以上の接続プレート１３は、互いに隣り合う枢着軸部１３１と枢着孔部１３２とが枢着されて接続されると、各接続プレート１３が第１の外プレート１１と第２の外プレート１２との間に接続され、枢着孔部１１２，１３２は、互いに隣り合う枢着軸部１３１，１２１に枢着され、第１の外プレート１１の位置決め挿着溝１１１に第２の外プレート１２の位置決め挿着部１２２が挿着され、抽出装置１が多角形錐体に成形される。
抽出装置１を使用しないときは、図７及び図８に示すように、第１の外プレート１１、第２の外プレート１２及び接続プレート１３を旋回させて摺り合わせ、第１の外プレート１１、第２の外プレート１２及び接続プレート１３を摺り合わす過程で、延伸したスタンド１１３，１２３，１３３が邪魔にならないように、スタンド１１３，１２３，１３３が第１の外プレート１１、第２の外プレート１２及び接続プレート１３と枢着方式で結合される。スタンド１１３，１２３，１３３を旋回させて収納することにより、第１の外プレート１１、第２の外プレート１２及び接続プレート１３を摺り合わすときに邪魔にならず、抽出装置１を平板状に成形して収納・携帯することができる（図９を再び参照する）。
【００１９】
抽出装置１の第１の外プレート１１、第２の外プレート１２及び接続プレート１３の内側端面に設ける当接防止構造１１４，１２４，１３４を複数の孔に形成する方式でも良いし、図１０に示すように、当接防止構造１１４，１２４，１３４を複数のリブに形成する方式でも良い。ペーパーフィルターが第１の外プレート１１、第２の外プレート１２及び接続プレート１３の内側端面に完全に当接されることを防ぐことができる限りどちらの方式でもよい。
【００２０】
上述したことから分かるように、本考案の携帯組立式コーヒー抽出装置は、従来技術と比べ、第１の外プレート、第２の外プレート及び接続プレートを枢着方式で結合し、平板状に摺り合わせて収納するため、単一プレートの紛失を防ぎ、実用性及び機能性が高い。
【符号の説明】
【００２１】
１      抽出装置
１１    第１の外プレート
１２    第２の外プレート
１３    接続プレート
１１１  位置決め挿着溝
１１２  枢着孔部
１１３  スタンド
１１４  当接防止構造
１２１  枢着軸部
１２２  位置決め挿着部
１２３  スタンド
１２４  当接防止構造
１３１  枢着軸部
１３２  枢着孔部
１３３  スタンド
１３４  当接防止構造
【図１】
0003215533.tif 000003
【図２】
0003215533.tif 000004
【図３】
0003215533.tif 000005
【図４】
0003215533.tif 000006
【図５】
0003215533.tif 000007
【図６】
0003215533.tif 000008
【図７】
0003215533.tif 000009
【図８】
0003215533.tif 000010
【図９】
0003215533.tif 000011
【図１０】
0003215533.tif 000012